(57)【要約】【課題】解析処理または画像処理の失敗を検知する。【解決手段】画像処理装置は、放射線画像における照射野領域を取得し、照射野領域外の領域をマスク処理し、マスク処理が行われた放射線画像の解析処理を行い、その解析処理に基づいて関心領域を設定し、設定された関心領域における画素値に基づいて、放射線画像に対する階調変換処理を含む画像処理を行い、画像処理が行われた放射線画像を表示部に表示させる。その後、画像処理装置は、画像処理が行われた放射線画像に基づいて、解析処理または画像処理の失敗を検知する。【選択図】  図１
2017158717.tif 000002
【特許請求の範囲】
【請求項１】
放射線画像における照射野領域を取得する取得手段と、
前記取得された照射野領域を除く領域をマスク処理するマスク処理手段と、
前記マスク処理が行われた放射線画像の解析処理を行う解析処理手段と、
前記解析処理に基づいて関心領域を設定する設定手段と、
前記設定された関心領域における画素値に基づいて、前記放射線画像に対する階調変換処理を含む画像処理を行う画像処理手段と、
前記画像処理が行われた放射線画像を表示部に表示させる表示制御手段と、
前記画像処理が行われた放射線画像に基づいて、前記解析処理または前記画像処理の失敗を検知する検知手段と、
を有することを特徴とする画像処理装置。
【請求項２】
前記検知手段は、前記画像処理が行われた放射線画像に基づいて、前記照射野領域の誤りに起因する、前記解析処理または前記画像処理の失敗を検知することを特徴とする請求項１に記載の画像処理装置。
【請求項３】
前記表示制御手段は、前記失敗が検知された場合、前記マスク処理を解除することを特徴とする請求項１または２に記載の画像処理装置。
【請求項４】
前記設定手段は、更に、前記表示制御手段により前記マスク処理が解除された状態で前記関心領域を再設定することを特徴とする請求項３に記載の画像処理装置。
【請求項５】
前記表示制御手段は、前記マスク処理を解除した後、前記関心領域の再設定用の操作画面を前記表示部に表示することを特徴とする請求項４に記載の画像処理装置。
【請求項６】
前記取得手段は、前記再設定された関心領域が前記照射野領域を外れている場合、該関心領域を含むように該照射野領域を調整することを特徴とする請求項５に記載の画像処理装置。
【請求項７】
前記取得手段は、前記表示制御手段により前記マスク処理が解除された後、前記放射線画像の全体領域と一致するように前記照射野領域を調整し、
前記画像処理手段は、前記放射線画像における前記調整された照射野領域及び前記関心領域に基づいて前記画像処理を再実施し、
前記設定手段は、前記画像処理が再実施された放射線画像に対して前記関心領域の再設定を行う
ことを特徴とする請求項５に記載の画像処理装置。
【請求項８】
前記表示制御手段は、前記放射線画像における前記調整された照射野領域及び前記関心領域に基づいて前記画像処理が再実施された後、前記関心領域の再設定用の操作画面を前記表示部に表示することを特徴とする請求項７に記載の画像処理装置。
【請求項９】
前記表示制御手段は、前記マスク処理が解除された状態で、前記照射野領域の境界線を前記放射線画像に重畳して表示することを特徴とする請求項３乃至８のいずれか１項に記載の画像処理装置。
【請求項１０】
取得手段が、放射線画像において照射野領域を取得する取得工程と、
マスク処理手段が、前記取得された照射野領域を除く領域をマスク処理するマスク処理工程と、
解析処理手段が、前記マスク処理が行われた放射線画像に対して解析処理を行う解析処理工程と、
設定手段が、前記解析処理に基づいて関心領域を設定する設定工程と、
画像処理手段が、前記設定された関心領域における画素値に基づいて、前記放射線画像に対する階調変換処理を含む画像処理を行う画像処理工程と、
表示制御手段が、前記画像処理が行われた放射線画像を表示部に表示させる表示制御工程と、
検知手段が、前記画像処理が行われた放射線画像に基づいて、前記解析処理または前記画像処理の失敗を検知する検知工程と、
を有することを特徴とする画像処理方法。
【請求項１１】
放射線を発生する放射線源と、
被検体を透過した放射線を検出し、前記検出した放射線に基づいて放射線画像を取得する放射線検出部と、
前記放射線検出部により取得された放射線画像を処理する、請求項１乃至９のいずれか１項に記載の画像処理装置と、
を含む放射線撮像システム。
【請求項１２】
コンピュータを、請求項１乃至９のいずれか１項に記載の画像処理装置が有する各手段として機能させるためのプログラム。
【発明の詳細な説明】
【技術分野】
【０００１】
本発明は、画像処理装置及び方法、放射線撮像システム、並びにプログラムに関する。
【背景技術】
【０００２】
従来の放射線撮像システムにおいては、放射線システムで取得される画像に対して階調変換などの画像処理を施して、画像をモニタ画面等で観察しやすい濃度値に変換することが行われている。具体的には、階調変換処理では、対象画像から濃度特徴量（以下、単に「特徴量」ともいう。）を抽出し、その特徴量を用いて対象画像へ階調変換を行う。特に、この特徴量を抽出する関心領域（以下「ＲＯＩ（Region of Interest）」ともいう。）を画像上で設定しておくことが一般的である。
【０００３】
また、従来の放射線撮像システムにおいては、必要領域外への放射線による被曝を抑え、また必要領域外からの散乱によるコントラスト低下を防止するために、必要領域のみに放射線を照射する照射野絞りが行われる。この場合、放射線撮像システムで取得される画像データ上では、放射線を直接受光している領域と、散乱線などの２次光以外の放射線を受けない領域が形成される。この画像データ上で放射線を直接受光している領域を「照射野領域」と呼び、散乱線などの２次光以外の放射線を殆ど受けない領域を「非照射野領域」と呼ぶものとする。
【０００４】
放射線画像に対する画像処理は、一般に、照射野領域を基準として行われ、また、ＲＯＩも照射野領域内に設定される。そのため、予め画像データから照射野領域を自動的に認識する方法が提案されている。特許文献１には、照射野領域の境界を示すと想定される複数の候補線を抽出し、候補線の組み合わせで得られる輪郭線を評価し、評価値の最も高い輪郭線を照射野領域の外縁として自動的に認識する技術が開示されている。
【０００５】
また、放射線撮像システムにおいて、非照射野領域を黒く塗りつぶすこと（以下、「マスク処理」ともいう。）により、画像を医師が診断に使用するときに、診断をより容易に行えるようにすることが知られている。
【先行技術文献】
【特許文献】
【０００６】
【特許文献１】特開２００６−３３３９２２号公報
【発明の概要】
【発明が解決しようとする課題】
【０００７】
このような放射線撮像システムにおいては、照射野領域の自動認識に失敗した場合、診断に必要な箇所までが非照射野領域としてマスク処理されてしまうことがある。また、照射野領域が正しくないために適切な画像処理が行われないことがある。特に、解析処理に基づくＲＯＩが非照射野領域に設定されることにより、診断に適さない画像が生成される場合がある。この場合、生成された画像が診断に適するかどうか判断が難しいことがあった。
【０００８】
本発明は、解析処理または画像処理の失敗を検知することを目的とする。
【課題を解決するための手段】
【０００９】
本発明の一側面によれば、放射線画像における照射野領域を取得する取得手段と、前記取得された照射野領域を除く領域をマスク処理するマスク処理手段と、前記マスク処理が行われた放射線画像の解析処理を行う解析処理手段と、前記解析処理に基づいて関心領域を設定する設定手段と、前記設定された関心領域における画素値に基づいて、前記放射線画像に対する階調変換処理を含む画像処理を行う画像処理手段と、前記画像処理が行われた放射線画像を表示部に表示させる表示制御手段と、前記画像処理が行われた放射線画像に基づいて、前記解析処理または前記画像処理の失敗を検知する検知手段とを有することを特徴とする画像処理装置が提供される。
【発明の効果】
【００１０】
本発明によれば、解析処理または画像処理の失敗を検知することができる。
【図面の簡単な説明】
【００１１】
【図１】実施形態における放射線撮像システムの構成を示す図。
【図２】実施形態における制御部の機能ブロック図。
【図３】実施形態における処理部の機能ブロック図。
【図４】実施形態における制御部による制御手順を示すフローチャート。
【図５】実施形態における制御部の機能ブロック図。
【図６】実施形態における制御部による制御手順を示すフローチャート。
【図７】実施形態における制御部による制御手順を示すフローチャート。
【図８】実施形態における制御部による制御手順を示すフローチャート。
【図９】実施形態における表示部に示される画面の例を示す図。
【発明を実施するための形態】
【００１２】
以下、図面を参照して本発明の実施形態について詳細に説明する。なお、本発明は以下の実施形態に限定されるものではなく、本発明の実施に有利な具体例を示すにすぎない。また、以下の実施形態の中で説明されている特徴の組み合わせの全てが本発明の課題解決のために必須のものであるとは限らない。なお、以下に示す実施形態では、放射線はＸ線に限られるものではなく、α線、β線、γ線、粒子線、宇宙線なども、放射線に含まれるものとする。
【００１３】
＜第１実施形態＞
図１は、本実施形態における放射線撮像システムの全体構成を示すブロック図である。放射線撮像システムは、放射線検出部１０８と、撮影制御装置１００と、放射線制御装置１０６と、放射線を発生する放射線源１０７とを含む。放射線検出部１０８は、放射線源１０７から曝射されて被検体Ｈの所定の部位を透過した放射線を検出し、検出した放射線に基づいて放射線画像を取得する。放射線検出部１０８は、例えば、フラットパネル型のＸ線検出器（Ｆｌａｔ  Ｐａｎｅｌ  Ｄｅｔｅｃｔｏｒ：ＦＰＤ）であり得る。放射線制御装置１０６は、放射線源１０７による放射線の曝射の制御を行う。
【００１４】
また、放射線撮像システムは、操作部１０４及び表示部１０５を含み得る。操作部１０４は、操作者（撮影技師や医師）からの入力に応じて放射線撮像システムにおける処理の操作を行うための操作情報を撮影制御装置１００へ供給し得る。表示部１０５は、放射線検出部１０８によって取得された放射線画像等の画像を表示し得る出力部であり、例えば液晶ディスプレイ等で実現される。また、表示部１０５は、放射線撮像システムのシーケンスの各タイミングを示す各種の図形を操作者へ向けて表示することができる。すなわち、表示部１０５は、放射線撮影のコントロールソフトウェアのグラフィカルユーザインタフェース（ＧＵＩ）を表示し得る。ここで、操作部１０４は、表示部１０５に表示された各種図形を、マウスやキーボード等の入力機器の操作によって画像操作を行うことにより、操作情報を撮影制御装置１００へ提供し得る。なお、操作部１０４及び表示部１０５は、それらが一体となったタッチパネル等で実現されてもよい。
【００１５】
撮影制御装置１００は、入出力部１０１と、制御部１０３とを含み、放射線撮影の制御を行うとともに、放射線検出部１０８により取得された放射線画像を処理する画像処理装置として機能する。入出力部１０１は、放射線検出部１０８からの放射線画像の入力や、放射線制御装置１０６への制御信号の出力を行う。制御部１０３は、操作部１０４からの操作情報に基づいて、各種制御のための制御信号を、入出力部１０１を介して、放射線検出部１０８、放射線制御装置１０６へ出力する。
【００１６】
図２に、制御部１０３の機能ブロック図を示す。制御部１０３は、処理部１０２と、入力検出部２０１と、記憶部２０２と、演算部２０３と、表示制御部２０４と、撮影制御部２０５と、照射野取得部５０１と、失敗検知部２０８とを含み得る。入力検出部２０１は、操作部１０４から入力された操作情報を演算部２０３に供給する。記憶部２０２には、画像処理部５０５で画像処理された放射線画像が記憶される撮影画像記憶領域２０９が確保されている。ここでは、演算部２０３が各部の制御を統括する。
【００１７】
図３に、処理部１０２の機能構成を示す。処理部１０２は、照射野取得部５０１、マスク処理部５０２、画像解析部５０３、ＲＯＩ設定部５０４、画像処理部５０５を含む。
照射野取得部５０１は、放射線画像における照射野領域を取得する。照射野取得部５０１は、例えば、演算部２０３からの指示に応じて、入出力部１０１から入力された放射線画像における放射線が照射された領域を表す照射野領域を取得する。ここでは、照射野取得部５０１は、放射線が照射された照射野領域を自動的に認識することができる。照射野取得部５０１は、入力された放射線画像内に存在する複数のエッジ成分の中から、その位置や強度などの規制情報を利用して照射野端を抽出する。照射野取得部５０１は、この抽出した照射野端で囲まれる領域を照射野領域として認識する。これにより、照射野取得部５０１は放射線画像における照射野領域を取得することができる。
【００１８】
マスク処理部５０２は、演算部２０３からの指示に応じて、放射線画像における照射野領域を除く領域（非照射野領域）をマスク処理する。マスク処理は、例えば、非照射野領域を黒く塗りつぶす処理であり、具体的には例えば、非照射野領域における各画素の画素値を黒に対応する値に置き換える処理である。
【００１９】
画像解析部５０３は、マスク処理が行われた放射線画像の解析処理を行う。画像解析部５０３は、例えば、放射線画像の特徴量解析（画像解析）として、放射線画像からＲＯＩ（Region of Interest）の代表的な画素値である基準画素値を算出する処理を行う。基準画素値は撮影部位毎に異なるため、撮影部位毎に適したアルゴリズムを用いて特徴量解析が行われる。
【００２０】
ＲＯＩ設定部５０４は、解析処理に基づいて関心領域を設定する。ＲＯＩ設定部５０４は、例えば、特徴量解析の結果に基づいてＲＯＩを自動設定する。例えば、撮影部位が肺野に指定されていれば、肺野の中央部に骨を跨ぐようにＲＯＩが自動設定される。なお、ユーザによる手動設定を行う場合は、ＲＯＩ設定部５０４は、操作部１０４からの操作情報に基づきＲＯＩを設定することもできる。
【００２１】
画像処理部５０５は、設定されたＲＯＩにおける画素値に基づいて、放射線画像に対する階調変換処理を含む画像処理を行う。画像処理部５０５は、例えば、ＲＯＩにおける画素値に基づいて放射線画像に対して診断用の画像処理を行う。例えば、画像処理部５０５は、ＲＯＩにおける画素値の範囲、平均画素値等に基づいて、ＲＯＩにコントラストが付くように階調変換処理またはダイナミックレンジ圧縮処理を行う。
【００２２】
表示制御部２０４は、画像処理が行われた放射線画像を表示部１０５に表示させる。表示制御部２０４は、マスク処理部５０２で生成されたマスク画像の表示を制御するマスク表示制御部２０７を含む。マスク表示制御部２０７は、演算部２０３からの指示に応じて、マスク処理を解除することもできる。マスク処理の解除は、例えば、非照射野領域における黒に対応する値に置き換えられた画素値を元に戻すことにより行われる。演算部２０３は、マスク処理が行われた放射線画像に対して、照射野取得部５０１で取得された照射野領域に基づいて画像処理を行うよう、画像処理部５０５に指示することができる。
【００２３】
失敗検知部２０８は、画像処理が行われた放射線画像に基づいて、画像解析部５０３で実施された画像解析の失敗、または画像処理部５０５で実施された画像処理の失敗を検知する。上記したように、画像解析部５０３で画像処理の対象とされた領域の特徴量解析が実行され、その後、ＲＯＩ設定部５０４でＲＯＩが設定される。そして、設定されたＲＯＩに基づいて画像処理部５０５で階調変換処理が行われる。このとき、失敗検知部２０８は、例えば、画像処理の対象とされた領域のうち輝度やコントラストが所定値以下である画素数を算出する。そして、例えば、その算出された画素数のＲＯＩに占める割合が所定値を超え、画像全体が暗い領域が大きい場合、画像解析部５０３による画像解析に基づくＲＯＩの設定が誤りである、すなわち、画像処理部５０５での画像処理が失敗した、と判断できる。
【００２４】
また、失敗検知部２０８は、画像処理が行われた放射線画像に基づいて、照射野取得部５０１で取得（認識）された照射野領域に誤りに起因する、解析処理または画像処理の失敗も検知することができる。例えば、胸部撮影を実施した際に、照射野取得部５０１で背骨等の人体の一部が放射線照射野の境界と認識されてしまう場合がある。この場合、例えば片方の肺野領域等が含まれない領域が照射野領域とされ、画像解析部５０３ではその領域に対して特徴量解析が行われ、ＲＯＩ設定部５０４でＲＯＩが設定されることになる。しかし、照射野領域に片方の肺野領域が含まれていないため胸部に対する適切なＲＯＩが設定されず、画像処理部５０５で階調変換処理やダイナミックレンジ圧縮処理で行われる結果、輝度やコントラストが適切でない画像が生成されることになる。そこで、失敗検知部２０８は、画像処理の対象とされた領域のうち輝度やコントラストが所定値以下である画素数を算出する。そして、例えば、その算出された画素数のＲＯＩに占める割合が所定値以上の場合は画像全体が暗い領域が大きく、画像解析部５０３による画像解析に基づくＲＯＩの設定が誤りであると判断することができる。
【００２５】
また、画像全体の領域のうち黒画素の占める割合が所定値以上の場合、マスク処理によって黒く塗りつぶされた領域が大きいと考えられる。そこ失敗検知部２０８は、上記割合が所定値以上の場合、照射野領域の認識誤りと判定し、画像解析部５０３による画像解析に基づくＲＯＩ設定、画像処理に失敗したことを検知することもできる。
【００２６】
表示制御部２０４（マスク表示制御部２０７）は、失敗検知部２０８により、画像解析部５０３で実施された画像解析の失敗、または画像処理部５０５で実施された画像処理の失敗が検知された場合、マスク処理を解除することができる。またこのとき、ＲＯＩ設定部５０４は、マスク処理が解除された状態でＲＯＩを再設定することができる。その際、表示制御部２０４（マスク表示制御部２０７）は、マスク処理を解除した後、ＲＯＩの再設定用の操作画面を表示部１０５に表示することができる。
【００２７】
図４は、制御部１０３による制御手順を示すフローチャートである。操作部１０４から放射線撮影の実行が指示されると、制御部１０３は、放射線制御装置１０６に放射線を照射するように指示する。これにより、放射線撮影が実施される（Ｓ１０２）。被検体Ｈを透過した放射線は、放射線検出部１０８で放射線画像として取得される。制御部１０３は、放射線検出部１０８で取得された放射線画像を入出力部１０１を介して取得する。照射野取得部５０１は、照射野領域の取得（認識）を実行する（Ｓ１０３）。次に、マスク処理部５０２は、非照射野領域にマスク処理を実行する（Ｓ１０４）。その後、画像解析部５０３が、特徴量解析としてＲＯＩの基準画素値の算出を行う（Ｓ１０５）。
【００２８】
次に、ＲＯＩ設定部５０４が、算出された基準画素値に基づいてＲＯＩを設定する（Ｓ１０６）。そして、画像処理部５０５が、画像処理として、設定されたＲＯＩにおける画素値に基づいて、ＲＯＩにコントラストが付くように階調変換処理を行う（Ｓ１０７）。
その後、表示制御部２０４は、画像処理（階調変換処理）が行われた放射線画像を表示部１０５に表示させる（Ｓ１０８）。このとき、放射線画像上の非照射野領域は、Ｓ１０４でのマスク処理によって、例えば黒く塗りつぶされる。
【００２９】
次に、失敗検知部２０８は、Ｓ１０７での画像処理（階調変換処理）の失敗を検知する（Ｓ１０９）。画像処理の失敗が検知されなかった場合は（Ｓ１０９でＮｏ）、放射線撮影を完了する。一方、画像処理の失敗が検知された場合は（Ｓ１０９でＹｅｓ）、マスク表示制御部２０７はマスク処理を解除し、マスクのない状態の非照射野領域を表示する（Ｓ１１０）。
【００３０】
＜第２実施形態＞
第２実施形態を説明する。本実施形態における放射線撮像システムの全体構成は図１に示した第１実施形態と同様である。図５に、本実施形態における制御部１０３の機能ブロック図を示す。図２と比較して同じ構成要素には同じ参照番号を付し、それらの詳細な説明は省略する。本実施形態の制御部１０３は、記憶部２０２にＲＯＩ記憶領域３１０が確保されている点で、第１実施形態と相違する。処理部１０２の詳細構成についても図３を援用する。ＲＯＩ記憶領域３１０には、画像処理部５０５で適切な濃度値を算出するために使用する画像上の特定領域の情報が記憶される。
【００３１】
図６は、本実施形態の制御部１０３による制御手順を示すフローチャートである。第１実施形態に係る図４のフローチャートと比較して、処理内容が同じステップには同じ参照番号を付し、それらの説明は省略する。本実施形態においては、Ｓ１０９において画像処理の失敗が検知され（Ｓ１０９でＹｅｓ）、マスク処理が解除された（Ｓ１１０）後、表示制御部２０４は、ＲＯＩの再設定用の操作画面を表示部１０５に表示させる（Ｓ２０１）。操作者は、表示部１０５に表示されたＲＯＩの再設定用の画面上で、マスク処理が解除された放射線画像を見ながら、操作部１０４を介して操作を実施することができる。演算部２０３は、入力検出部２０１を介して入力された操作部１０４の操作情報に基づいてＲＯＩの再設定操作がされたか否かを判断する（Ｓ２０２）。ＲＯＩの再設定の操作がされなかった場合は（Ｓ２０２でＮｏ）、放射線撮影を完了する。一方、ＲＯＩの再設定の操作がされた場合は（Ｓ２１０でＹｅｓ）、ＲＯＩ設定部５０４はＲＯＩを再設定する（Ｓ２０３）。その後、マスク処理部５０２によりマスク処理が再度実施され（Ｓ２０４）、Ｓ１０７に戻って処理が繰り返される。
【００３２】
図９（ａ）〜（ｃ）を参照して、第２実施形態の動作フローに従う表示部１０５の表示画面例を説明する。図９（ａ）〜（ｃ）に示される画面７０１は、放射線撮影に係るグラフィカルユーザインタフェース（ＧＵＩ）を構成する。具体的には、画面７０１は、放射線撮影画像が表示される画像表示領域７０２と、操作スイッチ類が表示される操作領域７０３とを含む。操作者が放射線撮影の実行を指示すると、画像表示領域７０２に放射線撮影画像が表示される。
【００３３】
Ｓ１０９で画像処理の失敗が検知されなかった場合（Ｓ１０９でＮｏ）、図９（ａ）のように、観察したい部位全体に正しく照射野領域７０４及び非照射野領域７０５が設定されている。そのため、画像の濃度値も適切に設定されており、医師が観察に適した画像表示となっている。一方、画像処理の失敗が検知された場合（Ｓ１０９でＹｅｓ）、図９（ｂ）のように、観察したい部位の濃度値が適切に設定されていない。また、照射野領域７０４が誤っているため、観察したい部位にマスク処理が実施されてしまっている。そこで、Ｓ１１０で、図９（ｃ）のように非照射野領域７０５のマスク処理を解除する。なお、マスク処理を解除してしまうと、設定されていた照射野領域７０４が不明瞭になってしまう。そこで、マスク処理が解除された状態で、図９（ｃ）のように、照射野領域の境界線７０６を放射線画像に重畳して表示してもよい。境界線７０６を破線や実線で表示する他、領域の半透明化、領域の塗りつぶし等によって境界が視認できるようにしてもよい。その後、Ｓ２０１で、図９（ｃ）に示されるように、ＲＯＩの再設定用の画面として、例えばＲＯＩ操作部７０７が表示される。
【００３４】
＜第３実施形態＞
次に、第３実施形態を説明する。本実施形態における放射線撮像システムの全体構成は図１と同様であるため、本実施形態においても図１を援用する。また、制御部１０３および処理部１０２の機能構成として、それぞれ、図３および図５を援用する。
本実施形態において、照射野取得部５０１は、再設定されたＲＯＩが照射野領域を外れている場合、当該ＲＯＩを含むように照射野領域を調整することができる。以下、具体的に説明する。
【００３５】
図７は、本実施形態の制御部１０３による制御手順を示すフローチャートである。第２実施形態に係る図６のフローチャートと比較して、処理内容が同じステップには同じ参照番号を付し、それらの説明は省略する。本実施形態においては、Ｓ２０３でＲＯＩが再設定された後、演算部２０３は、そのＲＯＩがＳ１０３で特定された非照射野領域に設定されているかどうかを判断する（Ｓ３１２）。そのＲＯＩが非照射野領域に設定されていなければ（Ｓ３１２でＮｏ）、処理はそのままＳ２０４に進む。一方、そのＲＯＩが非照射野領域に設定されている場合には（Ｓ３１２でＹｅｓ）、照射野取得部５０１は、ＲＯＩを含むように照射野領域を調整する（Ｓ３１３）。具体的には、照射野取得部５０１は、例えば、照射野領域の境界を示すと想定される複数の候補線を抽出する際に、ＲＯＩと放射線画像の端との間からのみ候補線を抽出することで、ＲＯＩの外側に照射野領域の境界線を算出するようにする。図９（ｄ）に示されるように、ＲＯＩ７０８が非照射野領域に設定されている場合、Ｓ３１３では、照射野領域の再設定を実施する際に、図９（ｄ）の候補領域７０９の範囲内で照射野領域の境界線を抽出する。また、ＲＯＩを中心に固定サイズで照射野領域を算出するようにする。その後、処理はＳ２０４に進む。
【００３６】
これにより、実際の照射野領域の境界線を抽出する可能性が高めることができる。実際の照射野領域の境界線を正しく認識できた場合には、Ｓ１０７で再度、画像処理を実施をすると、図９（ａ）のように観察に適した画像が表示される。
【００３７】
＜第４実施形態＞
次に、第４実施形態を説明する。本実施形態における放射線撮像システムの全体構成は図１と同様であるため、本実施形態においても図１を援用する。また、制御部１０３および処理部１０２の機能構成として、それぞれ、図３および図５を援用する。
本実施形態において、照射野取得部５０１は、マスク処理が解除された後、放射線画像の全体領域と一致するように照射野領域を調整することができる。以下、具体的に説明する。
【００３８】
図６は、本実施形態の制御部１０３による制御手順を示すフローチャートである。第２実施形態に係る図６のフローチャートと比較して、処理内容が同じステップには同じ参照番号を付し、それらの説明は省略する。本実施形態においては、Ｓ１１０でマスク表示が解除された後、演算部２０３が、照射野領域が放射線画像の全体領域と一致しているか否かを判断する（Ｓ４０９）。照射野領域が放射線画像の全体領域と一致している場合（Ｓ４０９でＹｅｓ）、表示制御部２０４は、ＲＯＩの再設定用の画面を表示する（Ｓ２０１）。一方、照射野領域が放射線画像の全体領域と一致していない場合（Ｓ４０９でＮｏ）、照射野取得部５０１は、放射線画像の全体領域と一致するように照射野領域を調整する（Ｓ４１０）。
【００３９】
次に、画像処理部５０５は、調整された照射野領域及びＲＯＩ記憶領域３１０に記憶されているＲＯＩに基づいて、放射線画像に対して画像処理を再実施する。表示制御部２０４は、画像処理が再実施された後、ＲＯＩの再設定用の操作が前記面を表示部１０５に表示させる（Ｓ４１１）。Ｓ４１１で表示される放射線画像は、Ｓ１０８で表示された放射線画像より照射野領域の設定が改善されているため、ＲＯＩの再設定に適した画像が表示されている。そして、表示制御部２０４は、表示部１０５にＲＯＩの再設定用の画面を表示する（Ｓ２０１）。
【００４０】
＜他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４１】
１００：撮像制御装置、１０３：制御部、１０５：表示部、１０６：放射線制御装置、１０７：放射線源、１０８：放射線検出部
【図１】
2017158717.tif 000003
【図２】
2017158717.tif 000004
【図３】
2017158717.tif 000005
【図４】
2017158717.tif 000006
【図５】
2017158717.tif 000007
【図６】
2017158717.tif 000008
【図７】
2017158717.tif 000009
【図８】
2017158717.tif 000010
【図９】
2017158717.tif 000011